(57)【要約】【課題】格子状に読取素子が配列されたエリアイメージセンサの読取位置を変えて、同一フィルム画像を４回より多く画像読み取りをする場合であっても、高い空間解像力の画像を得ることができる画像読取装置を提供する。【解決手段】画像読取装置１２はフィルムＦに撮影された画像を１コマずつ光電的に読み取る装置であって、ＬＥＤ光源１８と、拡散ボックス２０と、（フィルム）キャリア２２と、結像レンズユニット２４と、エリアイメージセンサであり、受光面の有効受光面積を縮小し開口率を小さくした千鳥格子ＣＣＤ２６と、千鳥格子ＣＣＤ２６の画素ずらし手段２８と、アンプ３０と、Ａ／Ｄ変換器３１と、ＣＣＤ補正部３２と、補間演算部３４とを有する。千鳥格子ＣＣＤ２６の開口率は１２．５乃至２５％であることが好ましい。これにより、同一フィルム画像を４回より多く画素ずらしをして読み取る場合でも、解像度が向上する。【選択図】図１
2004194280.tif 000002
【特許請求の範囲】
【請求項１】
所定の位置に保持されたフィルム画像に入射させるための読取光を射出する光源部と、
所定の有効受光面積を持つ受光面を有し、この受光面の受光量に応じて光電変換して画素信号を生成する、所定数の読取素子を所定密度で格子状に配列し、前記読取光が前記フィルム画像を透過した透過光を受光して前記フィルム画像を光電変換して読み取るエリアイメージセンサと、
前記エリアイメージセンサの読取位置を前記フィルム画像に対して相対的に移動させる読取位置移動手段とを有し、
前記読取素子の前記受光面の有効受光面積を前記読取素子の前記所定密度で定まる有効受光面積より縮小し、前記読取位置移動手段により同一のフィルム画像に対して前記エリアイメージセンサの読取位置を変えて４回より多くの画像読取を行うことができるようにしたことを特徴とする画像読取装置。
【請求項２】
前記エリアイメージセンサの全体の面積に対する全ての前記読取素子の前記受光面の前記有効受光面積の合計面積の比率が、１２．５乃至２５％である請求項１に記載の画像読取装置。
【請求項３】
各々の前記読取素子は、その受光部の一部を遮光する遮光手段を備え、前記受光面の前記有効受光面積を縮小した請求項１または２に記載の画像読取装置。
【請求項４】
各々の前記読取素子の前記受光面に整合する位置に設けられ、前記透過光を前記読取素子の前記受光面に集光させるレンズを有する請求項１〜３のいずれか１項に記載の画像読取装置。
【請求項５】
前記読取位置移動手段により前記同一のフィルム画像に対して前記エリアイメージセンサの読取位置を変えての前記画像読取をしない、またはその回数が少ない場合には、前記同一のフィルム画像に対して前記読取位置移動手段により前記エリアイメージセンサの読取位置を移動させながら１回の前記画像読取を行う請求項１〜４のいずれか１項に記載の画像読取装置。
【請求項６】
前記エリアイメージセンサは、前記所定数の読取素子が所定密度で千鳥格子状に配列されている請求項１〜５のいずれか１項に記載の画像読取装置。
【発明の詳細な説明】
【０００１】
【発明の属する技術分野】
本発明は、デジタルフォトプリンタ等におけるフィルムの画像読取に利用される画像読取装置に関し、特に、格子状に読取素子が配列されたエリアイメージセンサを用い、このエリアイメージセンサを移動させて、フィルムの同一コマの画像を４回を超える回数の画素ずらしを行って読み取る場合にも、高い空間解像力の画像を得ることができる画像読取装置に関する。
【０００２】
【従来の技術】
従来、エリアイメージセンサとして、エリアＣＣＤを使用した画像読取装置（スキャナ）が提案されている（例えば、特許文献１参照。）。例えば、特許文献１に開示された従来の画像読取装置は、フィルムに撮影された画像を１コマずつ光電的に読み取る装置である。この従来の画像読取装置は、ＬＥＤ光源と、フィルムキャリアと、結像レンズユニットと、エリアイメージセンサであるエリアＣＣＤと、エリアＣＣＤに設けられた画素ずらし手段と、アンプ（増幅器）と、Ａ／Ｄ（アナログ／デジタル）変換器と、データ補正部と、補間演算部とを有する。
従来の画像読取装置における画素ずらし手段は、エリアＣＣＤを互いに直交する２方向に移動させる移動手段であり、ピエゾ素子が用いられている。
【０００３】
従来の画像読取装置においては、ＬＥＤ光源から、Ｒ（赤）、Ｇ（緑）およびＢ（青）の読取光を射出し、フィルムに入射させて、この画像を担持する透過光を得、この透過光をエリアＣＣＤに結像させて光電的に読み取る。この読み取りをＲ（赤）、Ｇ（緑）およびＢ（青）の読取光を順次用いて行うことにより、フィルムに撮影された画像をＲ、ＧおよびＢの３原色に分解して光電的に読み取る。
このとき、同一画像に対して、同一光源において画素ずらし手段によりエリアＣＣＤの位置を変えて画像を読み取り、所望の解像力となるように、読み取り回数を調整する。
【０００４】
図１０（ａ）は、従来のエリアＣＣＤの読取素子の配置を示す模式図、（ｂ）は、（ａ）に示すエリアＣＣＤにおいて、１回目の画素ずらし後の読み取りにおける読取素子の配置を重ねて示す模式図、（ｃ）は、（ａ）に示すエリアＣＣＤにおいて、１、２、３回目の画素ずらし読み取りにおける読取素子の配置を重ねて示す模式図である。
図１０（ａ）に示すように、従来のエリアＣＣＤ１００は、読取素子１０１（厳密には、その受光面を示す）が千鳥格子状に配列（ハニカム配列）されたものであり、読取素子１０１の受光面の上方にはマイクロレンズ（図示せず）が設けられている。図１０（ａ）に示すような読取素子１０１を有するエリアＣＣＤ１００（の受光面）の開口率は２５％を超える。ここで、エリアＣＣＤ１００の読取素子１０１の開口率とは、エリアＣＣＤ１００の撮像面全体の面積に対する各読取素子１０１の受光面の総面積の比率のことをいい、有効開口率とは、後述するように、読取素子１０１にマイクロレンズなどの集光手段が設けられ、この集光手段によって向上した見かけ上の開口率のことをいう。
【０００５】
エリアＣＣＤ１００の読取素子１０１の開口率は、大きいほどエリアＣＣＤ１００の高感度化、ノイズ低減（Ｓ／Ｎ比の向上）および広ダイナミックレンジ化等を図ることができる。このため、開口率は大きいことが望ましい。例えば、図１０（ａ）に示す従来のエリアＣＣＤ１００では、マイクロレンズがない状態でのエリアＣＣＤ１００の読取素子１０１の開口率は２７％である。なお、読取素子１０１の受光面にマイクロレンズを設けた場合には、マイクロレンズによって集光面積が拡大できるので、見かけ上の開口率（以下、有効開口率という）は増大する。従って、この場合、エリアＣＣＤ１００の読取素子１０１の有効開口率は５３％となる。
【０００６】
【特許文献１】
特開２００１−２９８６０８号公報
【０００７】
【発明が解決しようとする課題】
しかしながら、従来のエリアＣＣＤ１００を用いて画像を読み取るとき、図１０（ｂ）に示すように、読取素子１０１を移動させて、１回画素ずらしをし、２回の読み取りをした場合、有効開口率は１０６％になる。なお、ここでは、参照符号１０１で示される多（８）角形は、画素ずらしなしでの読み取りの場合の読取素子（の受光面）を表し、参照符号１０１ａで示される多（８）角形は、１回目の画素ずらし読み取りの場合の読取素子（の受光面）を表す。
また、図１０（ｃ）に示すように、さらに読取素子１０１を移動させて、３回画素ずらしをして、４回の画像読み取りをした場合、有効開口率は２１２％である。図１０（ｃ）において、図１０（ｂ）に加え、参照符号１０１ｂおよび１０１ｃで示される多（８）角形は、それぞれ２および３回目の画素ずらし読み取りを行った場合の読取素子（の受光面）を表す。
さらに、７回画素ずらしをし、８回の画像読み取りをした場合（図示せず）には、有効開口率は４２４％となる。
【０００８】
このように、従来のエリアＣＣＤでは、開口率が高く、複数回の画素ずらしをして画像を読み取る場合、画像読取回数が所定回数を超えると更なる空間解像度の向上が望めないという問題点がある。
【０００９】
本発明は、かかる問題点に鑑みてなされたものであり、格子状に読取素子が配列されたエリアイメージセンサの読取位置を変えて、同一フィルム画像を４回より多く画像読み取りをする場合であっても、高い空間解像力の画像を得ることができる画像読取装置を提供することを目的とする。
【００１０】
【課題を解決するための手段】
前記課題を解決するために、本発明は、所定の位置に保持されたフィルム画像に入射させるための読取光を射出する光源部と、所定の有効受光面積を持つ受光面を有し、この受光面の受光量に応じて光電変換して画素信号を生成する、所定数の読取素子を所定密度で格子状に配列し、前記読取光が前記フィルム画像を透過した透過光を受光して前記フィルム画像を光電変換して読み取るエリアイメージセンサと、前記エリアイメージセンサの読取位置を前記フィルム画像に対して相対的に移動させる読取位置移動手段とを有し、前記読取素子の前記受光面の有効受光面積を前記読取素子の前記所定密度で定まる有効受光面積より縮小し、前記読取位置移動手段により同一のフィルム画像に対して前記エリアイメージセンサの読取位置を変えて４回より多くの画像読取を行うことができるようにしたことを特徴とする画像読取装置を提供することにある。
【００１１】
また、本発明においては、前記エリアイメージセンサの全体の面積に対する全ての前記読取素子の前記受光面の前記有効受光面積の合計面積の比率が、１２．５乃至２５％であることが好ましい。また、各々の前記読取素子は、その受光部の一部を遮光する遮光手段を備え、前記受光面の前記有効受光面積を縮小したことが好ましい。さらに、各々の前記読取素子の前記受光面に整合する位置に設けられ、前記透過光を前記読取素子の前記受光面に集光させるレンズを有することが好ましい。
【００１２】
本発明においては、前記読取位置移動手段により前記同一のフィルム画像に対して前記エリアイメージセンサの読取位置を変えての前記画像読取をしない、またはその回数が少ない場合には、前記同一のフィルム画像に対して前記読取位置移動手段により前記エリアイメージセンサの読取位置を移動させながら１回の前記画像読取を行うことができる。
また、本発明においては、前記エリアイメージセンサは、前記所定数の読取素子が所定密度で千鳥格子状に配列されていることが好ましい。
【００１３】
【発明の実施の形態】
以下、本発明に係る画像読取装置について、添付の図面に示される好適実施例を基に詳細に説明する。
【００１４】
図１は、本発明に係る画像読取装置を利用するデジタルフォトプリンタの一実施例を示すブロック図である。以下、本実施例においては、後述するように、エリアイメージセンサとして千鳥格子ＣＣＤ２６を用いて説明するが、本発明は、これに限定されるものではない。
図１に示されるデジタルフォトプリンタ（以下、フォトプリンタという）１０は、基本的に、画像読取装置（スキャナ）１２と、画像処理装置１４と、プリンタ１６とを有する。
【００１５】
画像読取装置１２は、フィルムＦに撮影された画像を１コマずつ光電的に読み取る装置であって、ＬＥＤ光源１８と、拡散ボックス２０と、（フィルム）キャリア２２と、結像レンズユニット２４と、エリアイメージセンサとして、例えば、用いられる千鳥格子ＣＣＤ２６と、千鳥格子ＣＣＤ２６の画素ずらし手段２８と、アンプ（増幅器）３０と、Ａ／Ｄ（アナログ／デジタル）変換器３１と、ＣＣＤ補正部３２（データ補正部）と、補間演算部３４とを有する。
【００１６】
図２は、デジタルフォトプリンタの画像読取装置のＬＥＤ光源を示す模式図である。ＬＥＤ光源１８は、フィルムＦに撮影された画像を読み取るために、所定の位置に保持されたフィルム画像に入射させるための読取光を射出するものである。ＬＥＤ光源１８は、図２に概念的に示すように、Ｒ（赤）光を射出するＬＥＤ列１８ｒ、Ｇ（緑）光を射出するＬＥＤ列１８ｇ、Ｂ（青）光を射出するＬＥＤ列１８ｂ、およびＩＲ（赤外）光を射出するＬＥＤ列１８ｉｒが、各列のＬＥＤの配列方向と直交する方向に配列された構成を有する。なお、ＩＲ光は、フィルムＦに付着した異物およびフィルムＦの傷等を検出する際に用いられるものである。
ＬＥＤ光源１８には、光源ドライバ３６が接続されており、この光源ドライバ３６によって、各ＬＥＤ列の点灯、消灯（オン・オフ）および光量（読取光の光量）が制御される。本発明においては、後述するように千鳥格子ＣＣＤ２６は開口率が低い。このため、ＬＥＤ光源１８は光量を開口率に合わせることが好ましい。
【００１７】
拡散ボックス２０は、ＬＥＤ光源１８から射出された読取光を拡散して、フィルムＦに入射する読取光を、フィルムＦの面方向で均一にするものである。
読取光の拡散手段には特に限定はなく、公知の手段が各種利用可能である。図１に示す拡散ボックス２０は、一例として、内面が反射面となっているミラーボックスの上下面（開放面）を光拡散板で閉塞してなるものである。
【００１８】
キャリア２２は、フィルムＦを長手方向に搬送して、フィルムＦに撮影された各画像（コマ）を、１つずつ、順次、所定の読取位置に搬送して、保持するものである。
このキャリア２２は、フィルムＦの搬送手段、読取領域を規制するマスク、フィルムＦに光学的に記録されるＤＸコードなどのバーコードの読取手段、および磁気情報の記録／読取手段（新写真システム）等を有し、公知のフォトプリンタ（アナログおよびデジタル）に装着される通常のフィルムキャリアである。
各種のフォトプリンタと同様、フォトプリンタ１０（画像読取装置１２）には、新写真システム（Ａｄｖａｎｃｅｄ  Ｐｈｏｔｏ  Ｓｙｓｔｅｍ）または１３５サイズのネガフィルムなどのフィルムサイズ等に応じて、画像読取装置１２の本体に装着自在な専用のキャリア２２が用意されており、キャリア２２を交換することにより、各種のフィルムおよび処理に対応することができる。
【００１９】
ここで、ＬＥＤ光源１８から射出され、拡散ボックス２０によって拡散された読取光は、キャリア２２によって所定の読取位置に保持されるフィルムＦの１コマに入射して、透過する。これにより、このコマに撮影された画像を担持する透過光が得られる。
この透過光は、結像レンズユニット２４によって、千鳥格子ＣＣＤ２６の受光面に結像されて、光電変換して読み取られ、フィルムＦに撮影された画像が、画像読取装置１２によって光電的に読み取られる。
【００２０】
図示例の画像読取装置１２においては、前述のＬＥＤ光源１８から、Ｒ、ＧおよびＢ（または、さらにＩＲ）の読取光を順次射出して、フィルムＦに入射させ、その透過光を千鳥格子ＣＣＤ２６によって読み取ることにより、フィルムＦに撮影された画像をＲ、ＧおよびＢの３原色に分解して読み取る。
また、画像読取装置１２（フォトプリンタ１０）においては、通常、１コマに対して、出力画像を得るための本スキャンと、本スキャンの読取条件または画像処理条件を決定するために、本スキャンに先立って行われるプレスキャンの、２種の画像読み取りが行われる。すなわち、１コマにつき、少なくとも６回（［Ｒ，Ｇ，Ｂ］×２、またはＩＲを含めた７回もしくは８回）の読み取りが行われる。この点に関しては、通常のフィルムスキャナと同様である。
【００２１】
図３（ａ）は、本発明の画像読取装置１２のエリアイメージセンサ（千鳥格子ＣＣＤ２６）の読取素子ｅの配置を示す模式的平面図、（ｂ）は、エリアイメージセンサ（千鳥格子ＣＣＤ２６）の読取素子ｅの部分断面図である。
図３（ａ）に示すように、本発明の画像読取装置１２における千鳥格子ＣＣＤ２６（エリアイメージセンサ）は、読取素子ｅが所定数所定密度で千鳥格子状に配置されたエリアＣＣＤセンサである。すなわち、本発明の画像読取装置１２に利用される千鳥格子ＣＣＤ２６は、矢印ｘで示されるフィルムＦの幅方向（または、矢印ｙで示されるフィルムＦの長手方向）に対して、所定数の読取素子ｅが所定密度で、所望の画素数となるようにジグザグに配置されている。
【００２２】
図３（ｂ）にその部分断面図を示すように、千鳥格子ＣＣＤ２６の読取素子ｅにおいては、例えば、Ｓｉからなる半導体基板６０に深いｐ型ウエル領域６２が形成されている。この深いｐ型ウエル領域６２には、光電変換部６４が形成されている。光電変換部６４は、その受光面６４ａで受光された光を電荷に変え、この電荷を蓄積するものである。深いｐ型ウエル領域６２には、この光電変換部６４に所定の間隔をおいて転送チャネル６６が形成されている。光電変換部６４と転送チャネル６６との間が転送ゲート６５となる。この転送チャネル６６は、転送ゲート６５を介して光電変換部６４に蓄積された電荷を読み出すものである。
転送チャネル６６に隣接して分離領域６８が形成されている。この分離領域６８により、千鳥格子ＣＣＤ２６における各読取素子ｅが相互に分離される。
【００２３】
深いｐ型ウエル領域６２の全面に第１の絶縁膜７０が形成されている。第１の絶縁膜７０の上には、転送ゲート６５および転送チャネル６６に整合する位置に転送電極７２が形成されている。この転送電極７２を覆うようにして第２の絶縁膜７４が形成されている。第１の絶縁膜７０および第２の絶縁膜７４の上には、遮光膜７６（遮光手段）が形成されている。この遮光膜７６には、光電変換部６４と整合する位置に平面視略八角形状の開口部７８が形成されている。遮光膜７６は、光電変換部６４の一部を覆って遮っており、光電変換部６４の受光面積を縮小している。この開口部７８に対応する光電変換部６４の部分が光電変換部６４の受光面６４ａとなり、この受光面６４ａの面積が光電変換部６４の有効受光面積となる。
【００２４】
遮光膜７６および第１の絶縁膜７０を覆うようにして焦点調整層８０が形成されている。この焦点調整層８０の上に平坦化層８２が形成されている。この平坦化層８２の上には、例えば、開口部７８に整合する位置にマイクロレンズ８４が形成されている。マイクロレンズ８４は、その焦点位置が、例えば光電変換部６４の受光面６４ａとなっている。このように、マイクロレンズ８４を設けることより、光電変換部６４に光が多く集光され、それ以外の部分に光が入射することが抑制される。
このマイクロレンズ８４は、転送チャネル６６等への有害な入光を防ぐ働きを持っている。有効開口率を制限する本発明においては、マイクロレンズ８４の主目的は有害な光を防ぐことにある。
【００２５】
また、本発明において、開口率とは、千鳥格子ＣＣＤ２６の撮像面全体の面積に対する各読取素子ｅにおける光電変換部６４の受光面６４ａの総面積の比率のことである。
なお、本発明においては、読取素子ｅの画素数および画素密度を変えることなく、開口部７８の大きさを変えることにより、開口率だけを変える。本発明においては、例えば、遮光膜７６の開口部７８の総面積、すなわち、受光面６４ａの総面積を小さくすることにより、光電変換部６４の有効受光面積の総面積を小さくして開口率を下げることができる。例えば、図３（ａ）に示す千鳥格子ＣＣＤ２６においては、マイクロレンズ８４を含む有効開口率は１８．５％である。このように、開口部７８の面積を小さくすることにより、転送チャネル６６に乱反射などによって光が入射することが抑制されるので、スミア現象が抑制される。
さらに、マイクロレンズ８４を設けることにより、光が光電変換部６４に集光され、乱反射によって転送チャネル６６に入射する光量が低減し、スミア現象が更に一層抑制される。
【００２６】
また、本発明においては、読取素子ｅの開口率（有効開口率を含む）は１２．５乃至２５％であることが好ましい。読取素子ｅの開口率が１２．５％未満では、ＬＥＤ光源１８の光量を多くする必要があるとともに、読取画像にモアレが生じやすくなるので好ましくない。一方、読取素子ｅの開口率が２５％を超えると、画素ずらしによって読取位置を変えて画像を読み取った場合、読取回数が４回を超えても空間解像度の向上が望めない。
上述の如く、一般的にＣＣＤは開口率を大きくする傾向にある。しかし、本発明は、読取素子の開口部の開口面積を小さくすることにより、エリアイメージセンサ（千鳥格子ＣＣＤ２６）の画素数を変えずに、エリアイメージセンサ（千鳥格子ＣＣＤ２６）の読取素子の所定密度で定まる有効受光面積を縮小したことを特徴とするものである。
【００２７】
図３（ａ）および（ｂ）に示す千鳥格子ＣＣＤ２６は、読取素子が正方格子状に配列（正方配列）されている通常のエリアＣＣＤセンサ（以下、正方格子ＣＣＤという）に比べ、感度、Ｓ／Ｎ比、ダイナミックレンジ、および実効画素数の点で有利であることが知られている。
しかも、後に詳述するが、このような千鳥格子ＣＣＤ２６を用いる画像読取装置１２においては、正方格子ＣＣＤよりも少ない画素ずらし回数で、画像読取の解像度を向上させることができる。従って、フォトプリンタ等において、高画質モードまたは大判のプリント出力のために、画素ずらしを行って画像読み取りを行う際にも、高い生産性を確保することができる。
また、開口率を小さくして、同一フィルム画像の読取回数を多くした場合には、画像の読取位置が変わり、各読取位置における読取素子（の受光面）の重なりを小さくすることができるので、空間解像度が高い読取画像を得ることができる。なお、読取素子ｅのマイクロレンズ８４は、必ずしも設ける必要はない。
【００２８】
図１に示す画像読取装置１２において、千鳥格子ＣＣＤ２６は、フィルムの幅方向（矢印ｘ方向、図１の紙面に垂直な方向（図３（ａ）参照））および長手方向（矢印ｙ方向）に対して、読取素子が千鳥格子状となるように、基板４０に保持されている。この基板４０には、画素ずらし手段２８が設けられている。
本発明において、画素ずらし手段２８すなわち千鳥格子ＣＣＤ２６の移動手段には特に限定はなく、通常エリアＣＣＤセンサを用いる画像読み取りで行われている公知のものが各種利用可能である。
【００２９】
図４は、デジタルフォトプリンタの画像読取装置の画素ずらし手段を示す模式図である。画素ずらし手段２８は、画像読取の画素密度を向上させ、画像読取の解像度を向上させるために、千鳥格子ＣＣＤ２６をフィルムＦの幅方向ｘと４５度の角度をなす方向（以下、α方向という）、およびこのα方向と直交する方向（以下、β方向という）の少なくとも一方に移動させる、いわゆる画素ずらしを行うものである。
本実施例において、画素ずらし手段２８は、図４に示すように、基板４０には、α方向に基板４０を移動させるピエゾ素子４２ｂと、β方向に基板４０を移動させるピエゾ素子４２ａとが設けられている。ピエゾ素子４２ａ、４２ｂは、ピエゾドライバ４４によって駆動される。ピエゾ素子４２ａは、基板４０を（すなわち、千鳥格子ＣＣＤ２６を）β方向に移動させる。また、ピエゾ素子４２ｂは、基板４０をα方向に移動させる。
ピエゾドライバ４４は、フィードバック回路（図示せず）を有している。このフィードバック回路により、ピエゾドライバ４４は、α方向およびβ方向の各方向に対して、所定の移動量だけ千鳥格子ＣＣＤ２６を正確に移動させることができる。
【００３０】
図５は、本発明の画像読取装置による画素ずらし手段によるピエゾ素子の動作を説明する模式図であり、図３（ａ）に示す領域Ａの拡大図である。図５は、図３（ａ）に示す領域Ａ内にある４つの読取素子ｅＯ  、ｅａ  、ｅｂ  、ｅｃ  だけを示し、他の構成については図示を省略する。
また、図５においては、後述するように、読取素子ｅＯ  の動きだけについて説明する。これ以外の各読取素子ｅａ  、ｅｂ  、ｅｃ  も、読取素子ｅＯ  と連動して、その画素位置が変るものであるが、他の読取素子ｅａ  、ｅｂ  、ｅｃ  の動作については、その詳細な説明は省略する。
【００３１】
図５に示すように、読取素子ｅＯ  と読取素子ｅｂ  とは、ｘ方向において画素ピッチＰ（例えば、１５．２μｍ）で配置されており、読取素子ｅＯ  は、α方向において読取素子ｅａ  と画素間隔ｐで配置され、β方向においても読取素子ｅｃ  と画素間隔ｐで配置されている。ここで、画素ピッチＰと画素間隔ｐとの関係は、Ｐ＝ｐ×√２である。なお、本実施例においては、図５に示す読取素子ｅＯ  の位置を基準位置Ｏとする。
また、本実施例においては、ピエゾ素子４２ａ、４２ｂにより、千鳥格子ＣＣＤ２６をα方向およびβ方向に所定量移動させることができる。例えば、α方向およびβ方向の各方向にｐ／４間隔で千鳥格子ＣＣＤ２６を移動させることにより、図５に示すように、読取素子ｅＯ  をα方向およびβ方向の各方向について基準位置Ｏから画素間隔ｐの距離内で、例えば、ｐ／４間隔で移動させることができる。このため、図５に示すように、ｐ／４、ｐ／２および３ｐ／４の３通りの移動量で読取素子ｅＯ  の画素位置を変えると、読取素子ｅＯ  を基準位置Ｏから最大で１５点の他の画素位置に移動させることができる。
【００３２】
なお、駆動手段としては、ピエゾ素子には限定されず、それほどスピードを問題としないのであれば、例えば、ソレノイド、またはパルスモータ等で駆動するようにしてもよい。また、千鳥格子ＣＣＤ２６自体を動かす必要は必ずしもなく、キャリア２２を動かすか、またはレンズで調整したりする等の方法により千鳥格子ＣＣＤ２６の読み取り位置が、フィルム画像に対して相対的に移動すればよい。
【００３３】
次に、画素ずらし手段２８による千鳥格子ＣＣＤ２６の移動方法、すなわち、画素ずらし方法について説明する。
本実施例の画像読取装置１２は、一例として、３つの読取モード（モード１〜モード３）を有し、読取モードと画素ずらしの回数との組み合わせによって、読取サイズ１〜読取サイズ４の４つの読取サイズ（一回（１色）の画像読取における画素数＝解像度）が設定されている。
サイズ設定部４６は、設定された読取サイズに応じて、ピエゾドライバ４４を制御してピエゾ素子４２ａ、４２ｂの駆動すなわち画素ずらしを行うものであり、また、補間演算部３４等に読取サイズの情報を送る。この点については、後に詳述する。
【００３４】
本実施例においては、画素間隔ｐ内でｐ／４間隔で読取素子ｅＯ  を移動させることができるので、例えば、４つの読取素子ｅＯ  、ｅａ  、ｅｂ  、ｅｃ  で囲まれる領域内において、所定の解像度を得るために、読取素子が配置されていない領域に読取素子を移動させて画像読み取りができる。本実施例においては、読取素子の位置を、例えば、最大で７箇所変えて８回画像読み取りを行う。
例えば、本実施例では、後述するように、読取サイズ１は、読取素子ｅＯ  が基準位置Ｏで画像読み取りを行うものである。また、読取サイズ２は、１回画素ずらしをし、２回画像読み取りを行うものである。さらに、読取サイズ３は、３回画素ずらしをし、４回画像読み取りを行うものである。さらにまた、読取サイズ４は、７回画素ずらしをし、８回画像読み取りを行うものである。
【００３５】
図６は、本実施例の基準位置にある読取素子を移動させる全ての画素位置を重ねて示す模式図である。図６は、読取素子ｅＯ  が基準位置Ｏから画素ずらしによって移動される画素位置ｆ〜ｎを示すものである。なお、図６に示す読取素子ｅｆ  、ｅｇ  、ｅｈ  、ｅｊ  、ｅｋ  、ｅｍ  、ｅｎ  は、読取素子ｅｏ  が各画素位置ｆ〜ｎに移動した場合の各読取素子を示すものである。
本実施例においては、画素ずらしをして画像読み取りをする７箇所の画素位置ｆ〜ｎは予め決定されており、読取素子ｅＯ  の基準位置Ｏから各画素位置ｆ〜ｎへの移動量は、下記表１に示すように設定されている。下記表１に示す移動量だけピエゾドライバ４４により、ピエゾ素子４２ａ、４２ｂを駆動することにより、読取素子ｅＯ  を各画素位置ｆ〜ｎに移動させることができる。
【００３６】
【表１】
2004194280.tif 000003
【００３７】
また、本実施例において、上述の読取サイズ１〜読取サイズ４については、下記表２に示すように、各読取サイズ１〜読取サイズ４毎に画像読み取りをする画素位置が設定されている。このため、読取サイズ１〜４を決定することにより、サイズ設定部４６により、画像を読み取る画素位置が決定され、この画素位置に基づいてピエゾ素子４２ａ、４２ｂの移動量も決定される。
このように、本実施例においては、各読取サイズ１〜読取サイズ４に応じて、千鳥格子ＣＣＤ２６を移動させて、読取素子ｅＯ  の画素位置を変えて画像読み取りをし、その出力信号をアンプ３０に出力する。
【００３８】
【表２】
2004194280.tif 000004
【００３９】
図１に示すように、千鳥格子ＣＣＤ２６の出力信号（画像信号）は、アンプ３０によって増幅され、Ａ／Ｄ変換器３１で変換されてデジタル画像信号とされ、このデジタル画像信号には、ＣＣＤ補正部３２によって、ＤＣオフセット補正、暗時補正またはシェーディング補正等の所定のデータ補正が施される。
ＣＣＤ補正部３２で処理された画像信号は、読取サイズに応じて、セレクタ４８の作用の下、画素の並べ替えを行う場合には補間演算部３４で処理された後に画像処理装置１４に送られる。他方、ＣＣＤ補正部３２で処理された画像信号は、画素の並び換えを行わない場合には、画像処理装置１４に直接送られる。
【００４０】
前述のように、本発明の画像読取装置１２は、千鳥格子ＣＣＤ２６を用いてフィルムＦに撮影された画像を読み取る。しかしながら、画像を出力するためには、画素は、正方格子状に配列されている必要がある。
補間演算部３４は、必要に応じて、ＣＣＤ補正部３２で処理された画像信号を補間演算して画素の並び換えを行い、画像処理装置１４に出力する画像（画像信号）の画素（出力画素）の配列を、正方格子状にするものである。
【００４１】
なお、本実施例の画像読取装置１２においては、補間演算部３４は、ｌｏｇ変換されていない（真数）画像信号を用いて、補間演算による画素の並び換えを行っている。しかしながら、本発明はこれに限定はされず、ＣＣＤ補正部３２の後にｌｏｇ変換器を配置し、ｌｏｇ変換した画像信号（すなわち濃度データ）を用いて、補間演算による画素の並び換えを行ってもよい。
ｌｏｇ変換は、例えば、ルックアップテーブル（ＬＵＴ）等を用いるｌｏｇ変換器によって行えばよい。
【００４２】
前述のように、画像読取装置１２は、３つの読取モード（モード１〜モード３）を有し、画像読取装置１２には、読取モードと画素ずらし回数とを組み合わせて、４つの読取サイズ（読取サイズ１〜読取サイズ４）が設定されている。
【００４３】
モード１は、同一フィルム画像（同一コマ画像）について、画素ずらしを行わずに、補間演算部３４による画素の並び換えのみを行うモードである。また、モード２は、同一フィルム画像について、画素の並び換えを行わず、画素ずらし手段２８を用いた画素ずらしのみを行うモードである。さらに、モード３は、同一フィルム画像について、画素ずらしおよび画素の並び換えの両者を行うモードである。
従って、前記サイズ設定部４６からの情報に応じて、モード１およびモード３では、セレクタ４８によってＣＣＤ補正部３２と補間演算部３４とが接続され、モード２では、セレクタ４８によってＣＣＤ補正部３２と画像処理装置１４とが接続される。
このような３つの読取モードを有する本発明の画像読取装置１２によれば、各種の読取サイズ（解像度）に対応して、高い生産性と高画質とをバランスさせた、最適な読取モードを選択できる。
【００４４】
一方、読取サイズは、フォトプリンタ１０が出力するプリントのサイズ、画像の拡大率等に応じて、適宜選択される。画像読取装置１２では、この読取サイズに応じた読取モードおよび画素ずらし回数で、１回、すなわち各色毎（Ｒ、ＧおよびＢ、またはさらにＩＲ）の画像読み取りが行われる。
例えば、オペレータによって入力されたプリントサイズおよび拡大率などの情報がサイズ設定部４６に供給され、サイズ設定部４６が、これに応じて、読取サイズを選択して、行うべき画素ずらしに応じて画素ずらし手段２８のピエゾドライバ４４を制御し、また、読取サイズ（読取モード）の情報を、セレクタ４８および補間演算部３４に供給する。
【００４５】
本実施例の画像読取装置１２において、読取サイズ１は、同一フィルム画像について、モード１での画像読み取りを行うもので、最小サイズ（最小画素数）の画像読み取りである。読取サイズ１は、上記表２に示すように、画素ずらしを行わず、読取素子ｅＯ  を基準位置Ｏのままで画像を読み取りをするものである。例えば、１３５サイズのフィルムまたは新写真システムのフィルム（ＩＸ２４０）から、Ｌサイズ、ＣタイプまたはＨタイプ等の通常サイズのプリントを作製する際に選択される。
前述のように、モード１による画像読み取りは、画素ずらしを行わずに、補間演算部３４における補間演算による画素の並べ換えのみを行うモードである。
【００４６】
前述のように、補間演算部３４は、千鳥格子ＣＣＤ２６を用いた画像読み取りにおける補間演算方法を実施するものである。
すなわち、補間演算部３４は、サイズ設定部４６からの読取サイズの情報に応じて、互いに最も近隣する読取素子の画像信号を補間して、千鳥格子ＣＣＤ２６による画像信号（原信号）は出力せずに、補間による画像信号のみを出力することにより、画素の並び換えを行い、出力画素を正方格子状に配列する。言い換えれば、千鳥格子ＣＣＤ２６が対応する正方格子方向（ｘ方向およびｙ方向）の読取素子の配置に対して、斜め方向に隣り合わせる読取素子間で補間を行うことにより、画素の並び換えを行う。
なお、補間によって得られた画像信号の割り付け位置は、出力画素を正方格子状に配列できる位置であればよい。中でも、補間を行った読取素子の間に割り付けて画素を正方格子状に配列（正方配列）するのが好ましく、特に、両素子の中間位置に割り付けて画素を正方格子状に配列（正方配列）するのが好ましい。
【００４７】
本実施例の画像読取装置１２において、読取サイズ２は、同一フィルム画像について、モード２による画像読み取りを行うもので、画素ずらし手段２８による画素ずらしを１回行う。すなわち、読取サイズ２においては、上記表２に示すように、１色の画像読み取りにつき、２面の読み取りを行う（画素ずらし１回の２回読取）。なお、モード２では、補間演算部３４による画素の並べ換えは行わず、画素ずらしのみを行うのは、前述の通りである。
この読取サイズ２は、読取サイズ１よりも若干大きなプリント（例えば、２Ｌサイズ等）の作製、または若干拡大を伴うトリミングした画像を作成する際に選択されるものである。
【００４８】
図７は、読取サイズ２における読取素子（の受光面）の配置を示す模式図であって、１回目の画素ずらし後の２回目の画素ずらしの読み取りにおける各読取素子ｅＯ  、ｅｇ  の配置を重ねて示すものである。画像読み取りを行う画素位置Ｏ、ｇは、上記表２に示すように予め決定されている。
読取サイズ２では、まず、読取サイズ１での読み取りと同様に、読取素子ｅＯ  （の受光面）を画素ずらしを行わない基準位置Ｏで１回目の画像読み取りを行う。次いで、サイズ設定部４６による指示の下、ピエゾドライバ４４がピエゾ素子４２ａ、４２ｂを駆動して、千鳥格子ＣＣＤ２６をα方向およびβ方向にそれぞれｐ／２だけ移動して画素ずらしを行い、画素位置ｇに読取素子ｅｇ  （の受光面）を配置した後、２回目の画像読み取りを行う。
【００４９】
図７に示すように、読取サイズ２では、１回の画素ずらしによって読取素子ｅＯ  、ｅｇ  （の受光面）が正方格子状に配列されたのと同じ状態にできる。
従って、補間演算による画素の並び換えは不要で、各読取素子ｅＯ  、ｅｇ  の重心位置（図中×で示す）を出力画素位置として、画像信号は、セレクタ４８によって、ＣＣＤ補正部３２から画像処理装置１４に送られる。
【００５０】
通常の正方格子状ＣＣＤでは、画素ずらしによって画像の読取解像度を上げ、かつ、正方格子状の出力画素を得るためには、２回以上の画素ずらしが必要であり、従って、ｘ方向およびｙ方向の２軸の画素ずらし手段が必要になる。
これに対し、千鳥格子ＣＣＤ２６を用いる本発明においては、１方向に１回の画素ずらしで解像度を上げることができるので、読取効率すなわち生産性を低下させることなく解像度を上げることができる。また、これ以上の解像度を要求されないスキャナであれば、１軸の画素ずらし手段のみで良いので、装置コストも低減できる。なお、本発明においても、後述するように、より大サイズの画像の読み取りを行う場合には、図示例のような２軸の画素ずらし手段が必要であるが、同じ解像度であれば、正方格子ＣＣＤに比して少ない画素ずらし回数でよい。
そのため、本発明によれば、各種の読取サイズにおいて、高い生産性を維持できる。
【００５１】
読取サイズ３は、同一フィルム画像について、モード３による画像読み取りを行うものであり、画素ずらし手段２８による画素ずらしを３回行うと共に、補間演算部３４による画素の並び換えも行う。すなわち、読取サイズ３においては、上記表２に示すように、１色の画像読み取りにつき、４面の読み取りを行う（画素ずらし３回の４回読取）。
読取サイズ３は、読取サイズ２よりもさらに大きなサイズのプリント（例えば、六切または四切等）の作製、または大きな拡大をする際に選択されるものである。
【００５２】
図８は、読取サイズ３における読取素子（の受光面）の配置を示す模式図であって、１乃至３回目の画素ずらし後の４回目の画素ずらし読み取りにおける各読取素子ｅＯ  、ｅｆ  、ｅｇ  、ｅｈ  の配置を重ねて示すものである。画像読み取りを行う画素位置Ｏ、ｆ、ｇ、ｈは、上記表２に示すように予め決定されている。
読取サイズ３では、例えば、まず、基準位置Ｏに配置された読取素子ｅＯ  （の受光面）で、１回目の画像読み取りを行う。
【００５３】
次いで、ピエゾドライバ４４がピエゾ素子４２ｂを駆動し、千鳥格子ＣＣＤ２６を、基準位置Ｏからα方向にｐ／２だけ移動させて、画素位置ｆに読取素子ｅｆ  （の受光面）を配置した後、２回目の画像読み取りを行う。
次いで、ピエゾドライバ４４がピエゾ素子４２ａ、４２ｂを駆動し、千鳥格子ＣＣＤ２６を、基準位置Ｏからα方向およびβ方向にｐ／２だけ移動させて、画素位置ｇに読取素子ｅｇ  （の受光面）を配置した後、３回目の画像読み取りを行う。
【００５４】
次いで、ピエゾドライバ４４がピエゾ素子４２ａを駆動し、千鳥格子ＣＣＤ２６を、基準位置Ｏからβ方向にｐ／２だけ移動させて、画素位置ｈに読取素子ｅｈ  （の受光面）を配置した後、４回目の画像読み取りを行う。このようにして、画素ずらしを３回での４回画像読み取りが終了する。
【００５５】
一方、補間演算部３４は、３回の画素ずらしによる４面の読み取りによって得られた画像信号を用いて、補間演算を行って、画素の並び換えを行い、画素の配列を正方格子状にする。
この補間演算による画素の並び換えは、前述の読取サイズ１で行った方法と同様に行われる。すなわち、互いに最も近隣する読取素子の画像信号を補間して出力画像信号とし、両読取素子の中間位置を出力画素位置として、前記出力画像信号を割り付け、この中間位置のみを出力画素位置とすることにより、正方格子状の画素配列とする。
【００５６】
ここで、本発明において、画素ずらしを行った際の補間演算における、互いに最も近隣する読取素子とは、千鳥格子ＣＣＤ２６自身において最も近隣する読取素子ではなく、読取素子を、全ての面の読み取りに対応する位置に配列した状態において、最も近隣する読取素子である。
例えば、１回目の画像読み取りにおける読取素子ｅＯ  の画像信号と、４回目の画像読み取りにおける読取素子ｅｈ  の画像信号とを補間して出力画像信号を得、両者のα方向およびβ方向における中間位置ｅＯ  ／ｅｈ  を出力画素位置として、出力信号を割り付ける。
【００５７】
読取サイズ４は、同一フィルム画像について、モード２による画像読み取りを行うものであり、上記表２に示すように、画素ずらしを７回行って、１つの画像を読み取る。すなわち、読取サイズ４においては、１色の画像読み取りにつき、８面の読み取りを行う（画素ずらし７回の８回読取）。
読取サイズ４は、フォトプリンタ１０において、最大サイズのプリント（例えば、半切等）の作製、または拡大率が大きい場合に選択される。
【００５８】
図９は、読取サイズ４における読取素子（の受光面）の配置を示す模式図であって、１乃至７回目の画素ずらし後の８回目の画素ずらし読み取りにおける各読取素子ｅＯ  、ｅｆ  、ｅｇ  、ｅｈ  、ｅｊ  、ｅｋ  、ｅｍ  、ｅｎ  の配置を重ねて示すものである。この読取サイズ４においては、読取サイズ３と比較して、読取サイズ３による読み取り後、さらに画素ずらしを４回行って合計８回の画素読み取りを行うものである。このため、読取サイズ３と共通する画像読み取りの詳細な説明は省略し、５回目の画像読み取り以降について詳細に説明する。
読取サイズ４でも、まず、基準位置Ｏに配置された読取素子ｅＯ  （の受光面）で１回目の画像読み取りを行う。次いで、上述の如く、順次画素位置ｆ、ｇ、ｈにおいて２〜４回目の画像読み取りを行う。
【００５９】
画素位置ｈで４回目の画像読み取りをした後、次に、画素位置ｊで５回目の画像読み取りを行う。このとき、ピエゾドライバ４４がピエゾ素子４２ａ、４２ｂを駆動し、千鳥格子ＣＣＤ２６を、基準位置Ｏからα方向およびβ方向にｐ／４だけ移動させて、画素位置ｊに読取素子ｅｊ  （の受光面）を配置した後、５回目の画像読み取りを行う。
次いで、ピエゾドライバ４４がピエゾ素子４２ａ、４２ｂを駆動し、千鳥格子ＣＣＤ２６を、基準位置Ｏからα方向に３ｐ／４だけ移動させ、β方向にｐ／４だけ移動させて、画素位置ｋに読取素子ｅｋ  （の受光面）を配置した後、６回目の画像読み取りを行う。
【００６０】
次いで、ピエゾドライバ４４がピエゾ素子４２ａ、４２ｂを駆動し、千鳥格子ＣＣＤ２６を、基準位置Ｏからα方向に３ｐ／４だけ移動させ、β方向に３ｐ／４だけ移動させて、画素位置ｍに読取素子ｅｍ  （の受光面）を配置した後、７回目の画像読み取りを行う。
次いで、ピエゾドライバ４４がピエゾ素子４２ａ、４２ｂを駆動し、千鳥格子ＣＣＤ２６を、基準位置Ｏからα方向にｐ／４だけ移動させ、β方向に３ｐ／４だけ移動させて、画素位置ｎに読取素子ｅｎ  （の受光面）を配置した後、８回目の画像読み取りを行う。このようにして、画素ずらしを７回での８回画像読み取りが終了する。
【００６１】
図９に示すように、読取サイズ４でも、画素ずらしによって読取素子が正方格子状に配列されたのと同じ状態にできるので、補間演算による画素の並び換えは不要であり、各面における各読取素子の重心位置を出力画素位置として、画像信号は、セレクタ４８によって、ＣＣＤ補正部３２から画像処理装置１４に送られる。
【００６２】
なお、本実施例において、設定される読取サイズは、上記読取サイズ１〜４に限定はされず、例えば、同一フィルム画像について、画素ずらしを７回以上行う読取サイズ等、各種のものが設定可能である。
本実施例においては、所定数所定密度で千鳥格子状に設けられた読取素子ｅの光電変換部６４の受光面６４ａの受光面積（有効受光面積）を、遮光膜７６の開口部７８を意図的に小さくする。これにより、読取素子ｅの数および密度により決定される有効受光面積を縮小する。このように、画素密度を変えることなく有効受光面積を縮小することにより、同一のフィルム画像について千鳥格子ＣＣＤ２６の読取位置を変えて４回よりも多くの画像読み取りを行っても、各読取位置における読取素子（の受光面）の重なりが小さくなるので、同一フィルム画像について空間解像度が高い読取画像を得ることができる。
例えば、本実施例においては、読取サイズ２（画素ずらし１回、画像読取２回）で、有効開口率は３７％であり、読取サイズ３（画素ずらし３回、画像読取４回）で、有効開口率は７４％であり、読取サイズ４（画素ずらし７回、画像読取８回）で、有効開口率は１４８％である。このように、読取サイズ４であっても、有効開口率は１４８％と低いので、空間解像度が高い読取画像を得ることができる。さらに、本実施例においては、千鳥格子ＣＣＤ２６の開口率をモアレが生じる開口率よりも大きい開口率としているので、読取画像にモアレが生じることもない。
【００６３】
前述のように、ＣＣＤ補正部３２で処理された画像信号は、必要に応じて、補間演算部３４で画素の並び換えが行われて、画像処理装置１４に送られる。
画像処理装置１４は、画像読取装置１２から出力された画像信号を、Ｌｏｇ変換器によって変換してデジタルの画像データ（濃度データ）とし、さらに、この画像データに、色／濃度補正、階調補正、およびグレイバランス補正等の所定の画像処理を施して、さらに３Ｄ−ＬＵＴ（３次元ルックアップテーブル）等を用いて処理済の画像データを変換して、プリンタ１６による記録用の画像データ、またはＣＲＴもしくはＬＣＤ等のディスプレイによる表示用の画像データとして出力するものである。
なお、Ｌｏｇ変換は、画像読取装置１２において、ＣＣＤ補正部３２の後に行ってもよいのは、前述の通りである。
【００６４】
プリンタ１６は、画像処理装置１４から出力された画像データに応じて感光材料（印画紙）を走査露光して潜像を記録し、感光材料に応じた現像処理を施して（仕上り）プリントとして出力する。
例えば、感光材料をプリントに応じた所定長に切断した後に、バックプリントの記録、または感光材料（印画紙）の分光感度特性に応じた、Ｒ露光、Ｇ露光およびＢ露光の３種の光ビームを画像データ（記録画像）に応じて変調すると共に、主走査方向に偏向し、主走査方向と直交する副走査方向に感光材料を搬送することによる潜像の記録等を行い、潜像を記録した感光材料に、発色現像、漂白定着および水洗等の所定の湿式現像処理を行い、乾燥してプリントとした後に、仕分けして集積する。
【００６５】
以上、本発明の画像読取装置について詳細に説明したが、本発明は上記実施例に限定はされず、本発明の要旨を逸脱しない範囲において、各種の改良および変更を行ってもよいのはもちろんである。
例えば、前述の画像読取装置は、３原色およびＩＲの読取光を射出するＬＥＤ光源を用いているが、本発明はこれに限定されず、例えば、白色光源と３原色の色フィルタ（または、さらにＩＲフィルタ）を有するフィルタターレットを用い、各色フィルタを順次光路に挿入して、フィルムに撮影された画像を３原色に分解して読み取るスキャナ等の各種のフィルムスキャナに利用可能である。
また、本発明の画像読取装置においては、例えば、モード２またはモード３を行う読取サイズが選択された場合であっても、プレスキャンでは、画素ずらしは、必ずしも行う必要はない。
【００６６】
さらに、画素ずらしによる多画素化を行なわず、または画素ずらし回数が少ない場合には、千鳥格子ＣＣＤ２６を移動しながら、画像を読み取り、モアレを低減することが好ましい。写真のプリントが、例えばＬサイズ程度の小さいものであれば、本発明においては、同一フィルム画像について、７回画素ずらしをし、８回画像を読み取ることをしなくても、１回の読み取りで十分な解像度を得ることができる。また、画素ずらしによるプリント能力の低下を回避するために、画素ずらしをしなくて良い場合もある。しかしながら、開口部７８の面積（受光面６４ａの面積）が小さく、かつ開口率が小さい場合、読取画像にモアレが発生しやすくなる。このため、画素ずらしをしないか、または画素ずらし回数を少なく画像を読み取る場合には、同一のフィルム画像の画像読み取りに際して、千鳥格子ＣＣＤ２６を微妙に動かして、千鳥格子ＣＣＤ２６の読取位置を移動させながら画像の読み取りを行う。これにより、開口部７８の面積を見かけ上大きくすることができ、読取画像にモアレが発生することを防止できる。
【００６７】
さらにまた、開口部７８の開口形状をｘ方向およびｙ方向において、同一とし、空間周波数をｘ方向およびｙ方向で同じにすることにより、読取画像について等方性が得られる。このため、画像処理をｘ方向およびｙ方向において等価に行うことができる。これにより、画像処理後の画質を高画質とすることができる。
また、開口部７８の開口形状をｘ方向およびｙ方向に加えて、更にα方向またはβ方向についても同一にすることにより、更に一層読取画像について等方性が得られる。これにより、画像処理後の画質を更に一層高画質とすることができる。
【００６８】
また、本発明の実施例においては、エリアイメージセンサとして、千鳥格子ＣＣＤを用いて説明したが、本発明は、特に、これに限定されるものではない。エリアイメージセンサの読取素子は、規則格子状、または不規則格子状に配置されていてもよい。例えば、上述の如く、読取素子を正方格子状に配置してもよい。
【００６９】
【発明の効果】
以上、詳細に説明したように、本発明の画像読取装置によれば、格子状に読取素子が配列されたエリアイメージセンサの読取位置を変えて、同一フィルム画像を４回より多く画像読み取りをする場合であっても、高い空間解像力の画像を得ることができる。
【図面の簡単な説明】
【図１】本発明に係る画像読取装置を利用するデジタルフォトプリンタの一実施例を示すブロック図である。
【図２】本発明の画像読取装置のＬＥＤ光源を示す模式図である。
【図３】（ａ）は、本発明の画像読取装置のエリアイメージセンサの読取素子の配置を示す模式的平面図、（ｂ）は、エリアイメージセンサの読取素子の部分断面図である。
【図４】本発明の画像読取装置の画素ずらし手段を示す模式図である。
【図５】本発明の画像読取装置による画素ずらし手段を示す模式図である。
【図６】本実施例の基準位置にある読取素子を移動させる全ての画素位置を重ねて示す模式図である。
【図７】本実施例の読取サイズ２における各読取素子の配置を示す模式図である。
【図８】本実施例の読取サイズ３における各読取素子の配置を示す模式図である。
【図９】本実施例の読取サイズ４における各読取素子の配置を示す模式図である。
【図１０】（ａ）は、従来のエリアＣＣＤの読取素子の配置を示す模式図、（ｂ）は、（ａ）に示すエリアＣＣＤにおいて、１回目の画素ずらし後の読み取りにおける読取素子の配置を重ねて示す模式図、（ｃ）は、（ａ）に示すエリアＣＣＤにおいて、１、２、３回目の画素ずらし読み取りにおける読取素子の配置を重ねて示す模式図である。
【符号の説明】
１０  デジタルフォトプリンタ
１２  画像読取装置
１４  画像処理装置
１６  プリンタ
１８  ＬＥＤ光源
２０  ディスプレイ
２２  キャリア
２４  結像レンズユニット
２６  千鳥格子ＣＣＤ
２８  画素ずらし手段
３０  アンプ
３１  Ａ／Ｄ変換器
３２  ＣＣＤ補正部
３４  補間演算部
３６  光源ドライバ
４０  基板
４２ａ，４２ｂ  ピエゾ素子
４４  ピエゾドライバ
４６  サイズ設定部
４８，５４  セレクタ
５０  １ライン遅延メモリ
５２  １画素遅延部
５６  平均化処理部
５８  画素割付部
６０  半導体基板
６２  深いｐウエル領域
６４  光電変換部
６５  転送ゲート
６６  転送チャネル
６８  分離領域
７０  第１の絶縁膜
７２  転送電極
７４  第２の絶縁膜
７６  遮光膜
７８  開口部
８０  焦点調整層
８２  平坦化層
８４    マイクロレンズ
１００  従来のエリアＣＣＤセンサ
ａ〜ｈ、１０１ａ、１０１ｂ、１０１ｃ  読取素子
【図１】
2004194280.tif 000005
【図２】
2004194280.tif 000006
【図３】
2004194280.tif 000007
【図４】
2004194280.tif 000008
【図５】
2004194280.tif 000009
【図６】
2004194280.tif 000010
【図７】
2004194280.tif 000011
【図８】
2004194280.tif 000012
【図９】
2004194280.tif 000013
【図１０】
2004194280.tif 000014